(57)【要約】【課題】外部装置に適切な画像を送信すること。【解決手段】画像処理装置１は、画像を外部装置に送信する。また、画像処理装置１は、通信制御部５６と、加工部５５と、加工判別部５４と、を備える。通信制御部５６は、撮像手段により画像が撮影されたことを契機として、撮影された画像を自動で外部装置に送信するように第１通信部２０−１を制御し、ユーザが記録されている画像を選択することで、撮影された画像を手動で外部装置に送信するように第１通信部２０−１を制御する。加工部５５は、画像を加工する。加工判別部５４は、外部装置に画像を送信する際に、画像の送信が通信制御部５６により制御される第１通信部２０−１の自動送信であるか、或いは通信制御部５６により制御される第１通信部２０−１の手動送信であるかに基づき、加工部５５に送信する画像を加工させる制御を行う。【選択図】図４
2016178620.tif 000002
【特許請求の範囲】
【請求項１】
画像を外部装置に送信する画像処理装置であって、
撮像手段により画像が撮影されたことを契機として、撮影された画像を自動で外部装置に送信する第１の送信手段と、
ユーザが記録されている画像を選択することで、撮影された画像を手動で外部装置に送信する第２の送信手段と、
画像を加工する加工手段と、
前記外部装置に画像を送信する際に、画像の送信が前記第１の送信手段による自動送信であるか、或いは前記第２の送信手段による手動送信であるかに基づき、前記加工手段に送信する画像を加工させる制御を行う制御手段と、
を備えることを特徴とする画像処理装置。
【請求項２】
前記制御手段は、前記画像の送信が前記自動送信であるか、或いは前記手動送信であるかに応じた優先度に基づき、当該自動送信と当該手動送信とで異なる所定の閾値を設定して、当該所定の閾値を越えると判別される場合に、前記加工手段に送信する画像を加工させる制御を行う、
ことを特徴とする請求項１に記載の画像処理装置。
【請求項３】
前記制御手段は、前記手動送信を前記自動送信よりも高い優先度として、当該手動送信の所定の閾値を当該自動送信の所定の閾値よりも高い値に設定する、
ことを特徴とする請求項２に記載の画像処理装置。
【請求項４】
前記制御手段は、前記所定の閾値を越えるか否かの判別を、送信する画像のサイズにより行う、
ことを特徴とする請求項２又は３に記載の画像処理装置。
【請求項５】
送信する画像の種類を取得する種類取得手段を、更に備え、
前記制御手段は、前記種類取得手段により取得される画像の種類を更に加味して、前記加工手段に送信する画像を加工させる制御を行う、
ことを特徴とする請求項２乃至４の何れか１項に記載の画像処理装置。
【請求項６】
送信する画像のデータ量を取得する送信量取得手段を、更に備え、
前記制御手段は、前記送信量取得手段により取得される送信する画像のデータ量を更に加味して、前記加工手段に送信する画像を加工させる制御を行う、
ことを特徴とする請求項２乃至５の何れか１項に記載の画像処理装置。
【請求項７】
前記外部装置へ送信する画像を送信することによる負荷を判別する負荷判別手段を、更に備え、
前記制御手段は、前記負荷判別手段により負荷が大きいと判別される前記所定の閾値を設定して、当該所定の閾値を越えると判別される場合に、当該外部装置への画像の送信を制限する制御を行う、
ことを特徴とする請求項２乃至６の何れか１項に記載の画像処理装置。
【請求項８】
撮像手段により撮影された画像を外部装置に送信する画像処理装置であって、
前記外部装置に送信する画像の特徴を取得する特徴取得手段と、
画像を加工する加工手段と、
前記外部装置に画像を送信する際に、前記特徴取得手段により取得される画像の特徴に基づき、前記加工手段に送信する画像を加工させる制御を行う制御手段と、
を備えることを特徴とする画像処理装置。
【請求項９】
前記制御手段は、前記特徴取得手段により取得される画像の特徴に基づき、異なる所定の閾値を設定して、当該所定の閾値を越えると判別される場合に、前記加工手段に送信する画像を加工させる制御を行う、
ことを特徴とする請求項８に記載の画像処理装置。
【請求項１０】
前記特徴取得手段は、画像の特徴として、送信する画像に含まれる被写体の種類、又は送信する画像が撮影された状態の何れか一方、又は両方を取得し、
前記制御手段は、前記特徴取得手段により取得される特徴として、送信する画像に含まれる被写体が特定の被写体である場合、又は送信する画像が撮影された状態である場合の何れか一方、又は両方である場合に、前記所定の閾値を高く設定する、
ことを特徴とする請求項９に記載の画像処理装置。
【請求項１１】
前記撮像手段により撮影された画像を前記外部装置に送信する方法を取得する方法取得手段を、更に備え、
前記制御手段は、前記方法取得手段により取得される送信方法を更に加味して、前記異なる所定の閾値を設定する、
ことを特徴とする請求項９又は１０に記載の画像処理装置。
【請求項１２】
前記方法取得手段は、送信方法として、前記撮像手段により画像が撮影されたことを契機として、撮影された画像を自動で前記外部装置に送信する自動送信、又はユーザが記録されている画像を選択することで、撮影された画像を手動で前記外部装置に送信する手動送信のいずれであるかを取得し、
前記制御手段は、前記方法取得手段により取得される送信方法が手動送信である場合に、自動送信である場合よりも、前記所定の閾値を高く設定する、
ことを特徴とする請求項１１に記載の画像処理装置。
【請求項１３】
前記加工手段は、画像のサイズを縮小する加工を行う、
ことを特徴とする請求項１乃至７、又は請求項８乃至１２の何れか１項に記載の画像処理装置。
【請求項１４】
撮像手段により撮影された画像を外部装置に送信する画像処理装置で実行される画像処理方法あって、
前記撮像手段により画像が撮影されたことを契機として、撮影された画像を自動で外部装置に送信する第１の送信処理と、
ユーザが記録されている画像を選択することで、撮影された画像を手動で外部装置に送信する第２の送信処理と、
画像を加工する加工処理と、
前記外部装置に画像を送信する際に、画像の送信が前記第１の送信処理による自動送信であるか、或いは前記第２の送信処理による手動送信であるかに基づき、前記加工処理に送信する画像を加工させる制御を行う制御処理と、
を含むことを特徴とする画像処理方法。
【請求項１５】
撮像手段により撮影された画像を外部装置に送信する画像処理装置で実行される画像処理方法であって、
前記外部装置に送信する画像の特徴を取得する特徴取得処理と、
画像を加工する加工処理と、
前記外部装置に画像を送信する際に、前記特徴取得処理により取得される画像の特徴に基づき、前記加工処理に送信する画像を加工させる制御を行う制御処理と、
を含むことを特徴とする画像処理方法。
【請求項１６】
撮像手段により撮影された画像を外部装置に送信する画像処理装置を制御するコンピュータに、
前記撮像手段により画像が撮影されたことを契機として、撮影された画像を自動で外部装置に送信する第１の送信機能と、
ユーザが記録されている画像を選択することで、撮影された画像を手動で外部装置に送信する第２の送信機能と、
画像を加工する加工機能と、
前記外部装置に画像を送信する際に、画像の送信が前記第１の送信機能による自動送信であるか、或いは前記第２の送信機能による手動送信であるかに基づき、前記加工機能に送信する画像を加工させる制御を行う制御機能と、
を実現させることを特徴とするプログラム。
【請求項１７】
撮像手段により撮影された画像を外部装置に送信する画像処理装置を制御するコンピュータに、
前記外部装置に送信する画像の特徴を取得する特徴取得機能と、
画像を加工する加工機能と、
前記外部装置に画像を送信する際に、前記特徴取得機能により取得される画像の特徴に基づき、前記加工機能に送信する画像を加工させる制御を行う制御機能と、
を実現させることを特徴とするプログラム。
【発明の詳細な説明】
【技術分野】
【０００１】
本発明は、画像処理装置、画像処理方法及びプログラムに関する。
【背景技術】
【０００２】
従来より、デジタルカメラにより撮影された画像を、撮影した画像処理装置だけではなく、他の外部装置でも活用することが行われている。特許文献１では、他の外部装置でも活用するために画像が撮影されると自動的に外部装置に送信する技術が開示されている。
【先行技術文献】
【特許文献】
【０００３】
【特許文献１】特開２００２−３４２４６５号公報
【発明の概要】
【発明が解決しようとする課題】
【０００４】
しかしながら、デジタルカメラに使用される撮像素子の画素数は年々多くなり、画像の品質が向上する一方、画像サイズが大きくなるため送信に時間がかかってしまう、或いは送信先の外部装置のメモリを圧迫してしまうという問題がある。
【０００５】
本発明は、このような状況に鑑みてなされたものであり、外部装置に適切な画像を送信することを目的とする。
【課題を解決するための手段】
【０００６】
上記目的を達成するため、本発明の一態様の画像処理装置は、
画像を外部装置に送信する画像処理装置であって、
撮像手段により画像が撮影されたことを契機として、撮影された画像を自動で外部装置に送信する第１の送信手段と、
ユーザが記録されている画像を選択することで、撮影された画像を手動で外部装置に送信する第２の送信手段と、
画像を加工する加工手段と、
前記外部装置に画像を送信する際に、画像の送信が前記第１の送信手段による自動送信であるか、或いは前記第２の送信手段による手動送信であるかに基づき、前記加工手段に送信する画像を加工させる制御を行う制御手段と、
を備えることを特徴とする。
【発明の効果】
【０００７】
本発明によれば、外部装置に適切な画像を送信することができる。
【図面の簡単な説明】
【０００８】
【図１】本発明の一実施形態に係る画像転送システムのシステム構成を示すシステム構成図である。
【図２】本発明の一実施形態に係る画像処理装置及び携帯端末装置のハードウェアの構成を示すブロック図である。
【図３】本実施形態の画像送信に係る条件と送信・加工有無の対応関係を示した図である。
【図４】図２の画像処理装置の機能的構成のうち、画像送信処理を実行するための機能的構成を示す機能ブロック図である。
【図５】図３の機能的構成を有する図２の画像処理装置が実行する画像送信処理の流れを説明するフローチャートである。
【発明を実施するための形態】
【０００９】
以下、本発明の実施形態について、図面を用いて説明する。
【００１０】
図１は、本発明の一実施形態に係る画像転送システムのシステム構成を示すシステム構成図である。
画像送信システムＳは、図１に示すように、画像処理装置１と、携帯端末装置２とを備える。
画像送信システムＳでは、画像処理装置１で撮影された画像（以下、「撮影画像」という。）を、撮影後に、外部装置である携帯端末装置２に自動的に送信する機能を有する。
本実施形態においては、画像処理装置１は、撮影画像のうち、（図中ハッチングで示した）送信対象となっている撮影画像のみを携帯端末装置２に送信する。画像処理装置１では、撮影画像の送信対象と送信状況を撮影画像のＩＤで管理する送信対象リストを保持しており、当該送信対象リストを参照して、撮影画像の送信を行う。即ち、画像処理装置１では、送信対象リストに記憶される未送信ＩＤに基づいて、対応する撮影画像を携帯端末装置２に送信する。なお、送信対象への設定は、例えば、撮影時の設定（「自動送信設定：入／切」）等に基づき行われる。
【００１１】
また、本実施形態の画像送信システムＳにおいては、画像処理装置１では、画像の送信にあたり、２つの通信方式を用いる。即ち、高速でありファイルの送受信に適した無線通信方式（以下、「第１通信方式」という。）と、低速であるが省電力であり常時接続に適した無線通信方式（以下、「第２通信方式」という。）との通信方式で、画像の送信を行う。
なお、本実施形態において、第１通信方式は、無線ＬＡＮ（Ｌｏｃａｌ  Ａｒｅａ  Ｎｅｔｗｏｒｋ）のうちＷｉ−Ｆｉ（Ｗｉｒｅｌｅｓｓ  Ｆｉｄｅｌｉｔｙ）の通信規格に基づいた通信方式を用いる。また、第２通信方式は、ＢＬＥ（Ｂｌｕｅｔｏｏｔｈ  ｌｏｗ  ｅｎｅｒｇｙ／Ｂｌｕｅｔｏｏｔｈ  ＬＥ，「Ｂｌｕｅｔｏｏｔｈ」は登録商標）（商標）の通信規格に基づいた通信方式を用いる。
【００１２】
本実施形態の画像送信システムＳにおいて撮影画像の自動送信機能を発揮する場合には、画像処理装置１と携帯端末装置２の間で、第２通信方式であるＢＬＥで通信が確立した状態（常時接続状態）で行われる。即ち、画像処理装置１と携帯端末装置２との間で、第２通信方式であるＢＬＥで接続がされていることが前提となって撮影画像の自動送信機能が発揮される。
具体的には、画像処理装置１から、携帯端末装置２に対して、第２通信方式での通信を介して、第１通信方式であるＷｉ−Ｆｉでの通信を確立するように指示（制御信号）を出して、画像処理装置１と携帯端末装置２との間で第１通信方式であるＷｉ−Ｆｉでの通信を確立する。なお、本実施形態においては、画像処理装置１では、Ｗｉ−Ｆｉにおいて親機となるようにし、携帯端末装置２では、第１通信方式であるＷｉ−Ｆｉにおいて子機となるようにして、画像処理装置１と携帯端末装置２の１対１の直接通信で通信を確立する。
その後、画像処理装置１から、携帯端末装置２に対して、第１通信方式で、画像を送信する。これにより、携帯端末装置２では、操作を行うことなく、第１通信方式で、画像を受信することができるようになる。
【００１３】
さらに、携帯端末装置２では、画像処理装置１から受信した撮影画像を、例えば、記憶・管理したり、他の外部機器との画像の共有を目的として、クラウドサーバにアップロードしたりする等の撮影画像の外部装置での活用がなされる。
【００１４】
図２は、本発明の一実施形態に係る画像処理装置１及び携帯端末装置２のハードウェアの構成を示すブロック図である。
画像処理装置１は、例えばデジタルカメラとして構成される。
【００１５】
画像処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、第１通信部２０と、第２通信部２１と、ドライブ２２と、電源部２３と、を備えている。
【００１６】
ＣＰＵ１１は、ＲＯＭ１２に記録されているプログラム、又は、記憶部１９からＲＡＭ１３にロードされたプログラムに従って各種の処理を実行する。
【００１７】
ＲＡＭ１３には、ＣＰＵ１１が各種の処理を実行する上において必要なデータ等も適宜記憶される。
【００１８】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、第１通信部２０、第２通信部２１、ドライブ２２及び電源部２３が接続されている。
【００１９】
撮像部１６は、図示はしないが、光学レンズ部と、イメージセンサと、を備えている。
【００２０】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２１】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮影画像のデータ」とも呼ぶ。撮影画像のデータは、ＣＰＵ１１や図示しない画像処理部等に適宜供給される。
【００２２】
入力部１７は、各種釦等で構成され、ユーザの指示操作に応じて各種情報を入力する。
出力部１８は、ディスプレイやスピーカ等で構成され、画像や音声を出力する。
【００２３】
記憶部１９は、ハードディスク或いはフラッシュメモリ等で構成され、各種画像のデータを記憶する。
【００２４】
第１通信部２０は、高速でありファイルの送受信に適した無線通信方式（以下、「第１通信方式」という。）で外部装置（本実施形態においては、携帯端末装置２）との間で行う通信を制御する。本実施形態においては、第１通信方式は、無線ＬＡＮ（Ｌｏｃａｌ  Ａｒｅａ  Ｎｅｔｗｏｒｋ）のうちＷｉ−Ｆｉ（Ｗｉｒｅｌｅｓｓ  Ｆｉｄｅｌｉｔｙ）の通信規格に基づいた通信方式を用いる。
【００２５】
第２通信部２１は、低速であるが省電力であり常時接続に適した無線通信方式（以下、「第２通信方式」という。）で外部装置（本実施形態においては、携帯端末装置２）との間で行う通信を制御する。本実施形態においては、第２通信方式は、ＢＬＥの通信規格に基づいた通信方式を用いる。
【００２６】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２７】
電源部２３は、例えば、リチウムイオン二次電池により構成され、電源回路（図示せず）を介して、画像処理装置１に駆動用の電力を供給する電力供給源であり、画像処理装置１の駆動源としての電流を画像処理装置１の各構成へ供給する。電源部２３は、ＣＰＵ１１により制御され、例えば、電源オフ状態において、出力部１８等への電源の供給を停止して表示出力をオフして、第１通信部２０や第２通信部２１等の通信における電源の供給を維持して、電源オフ状態においても画像送信を可能に制御される。
【００２８】
また、携帯端末装置２は、例えばタブレット端末として構成される。
なお、ハードウェアの構成については、画像処理装置１と同様であるため省略する。以下、画像処理装置１と携帯端末装置２におけるハードウェアを説明として用いる場合には、画像処理装置１には、符号の末尾に「−１」を付すものとし、携帯端末装置２には符号の末尾に「−２」を付すものとする。即ち、画像処理装置１は、ＣＰＵ１１−１乃至リムーバブルメディア３１−１と表記するものとし、携帯端末装置２は、ＣＰＵ１１−２乃至リムーバブルメディア３１−２と表記するものとする。
【００２９】
このように構成される画像送信システムＳにおける画像処理装置１では、自動／手動の送信設定に応じて、画像サイズで送信の有無や画像サイズの変更を伴う加工の有無を変更することができる機能を有する。
【００３０】
図３は、本実施形態の画像送信に係る条件と送信・加工有無の対応関係を示した図である。
本実施形態においては、図３に示すように、「送信方式」と「画像種類」と「画像サイズ」の条件に応じて、「送信有無」と「加工有無」が決定する。
【００３１】
自動送信の場合は、ユーザの意図が反映されずに自動的に画像が送信されるために、外部装置への送信負荷を考慮して、特に画像サイズの大きい動画像は送信の対象とせず、更に、画像サイズの比較的大きな画像（動画像／静止画像）を加工の対象とする。
ただし、送信対象の画像が特徴のある画像の場合には、オリジナルの画像で送信を行うため加工を行わないものとする。ここで、「特徴のある画像」とは、ユーザの暗黙の意思が反映されたような画像であり、例えば、画像内に特定の被写体（例えば、顔、登録した顔、多数の顔等）があったり、特定の条件（例えば、特定のモード）下で撮影された画像であったり、動画撮影中に撮影した静止画像である。また、「特徴のある画像」は、ユーザにとって希少性があり価値のある画像であり、例えば、送信の回数／総数が少ない状態で送信される画像、特定の時間帯で送信数が少ない状態で送信される画像、撮影間隔が空いた状態で送信される画像である。画像処理装置１では、画像そのもの、画像の撮影経緯、画像の撮影時の状況を解析して、特徴のある画像を特定して、加工の有無を決定する。
【００３２】
具体的には、「送信方法：自動送信」の場合は、以下のようになる。
「画像種類：静止画像」・「画像サイズ：３ＭＢより大」では、「送信有無：○［あり］」・「加工：○［あり］」とする。ただし、「※１：画像内に登録した顔あり／特定の条件下で撮影された画像／動画撮影中の静止画像／自動送信数：少」の条件に合致した場合には、「加工：×［なし］」とする。
また、「画像種類：静止画像」・「画像サイズ：３ＭＢ以下」では、「送信有無：○［あり］」・「加工：×［なし］」とする。
また、「画像種類：動画像」・「画像サイズ：１００ＭＢより大」では、「送信有無：×［なし］」とする。
また、「画像種類：動画像」・「画像サイズ：１００ＭＢ以下」・「画像サイズ：ＨＤサイズより大」では、「送信有無：○［あり］」・「加工：○［あり］」とする。ただし、「※２：画像内に登録した顔あり／特定の条件下で撮影された画像／自動送信数：少」の条件に合致した場合には、「加工：×［なし］」とする。
また、「画像種類：動画像」・「画像サイズ：１００ＭＢ以下」・「画像サイズ：ＨＤサイズ以下」では、「送信有無：○［あり］」・「加工：×［なし］」とする。
【００３３】
手動送信の場合には、ユーザが画像を選択して、ユーザにとって重きを置いている画像が送信対象として選択される可能性が高いために、特別画像サイズが大きな動画像を除いて送信対象とし、基本的に、加工を行わない。
ただし、外部装置への送信負担が多い場合、外部装置へ画像が送信できない／送信に時間がかかる等の問題があるため、送信データ量が結果として多くなる場合、例えば、画像の送信対象が多い場合や送信する画像の総データ量が多い場合には加工を行う。
【００３４】
具体的には、「送信方法：手動送信」の場合は、以下のようになる。
「画像種類：静止画像」では、「送信有無：○［あり］」・「加工：×［なし］」とする。ただし、「※３：画像の選択数／総データ量：多」の条件に合致した場合には、「加工：○［あり］」とする。
また、「画像種類：動画像」・「画像サイズ：５００ＭＢより大」では、「送信有無：×［なし］」とする。
また、「画像種類：動画像」・「画像サイズ：５００ＭＢ以下」では、「送信有無：○［あり］」・「加工：×［なし］」とする。ただし、「※３：画像の選択数／総データ量：多」の条件に合致した場合には、「加工：○［あり］」とする。
【００３５】
図４は、画像処理装置１の機能的構成のうち、画像送信処理を実行するための機能的構成を示す機能ブロック図である。
画像送信処理とは、外部装置（本実施形態においては、携帯端末装置２）に適切な画像を送信する一連の処理をいう。
【００３６】
画像送信処理を実行する場合には、図４に示すように、ＣＰＵ１１−１において、方法判別部５１と、種類判別部５２、負荷判別部５３、加工判別部５４、加工部５５と、通信制御部５６と、が機能する。
【００３７】
また、記憶部１９−１の一領域には、画像記憶部７１と、送信対象リスト記憶部７２と、が設定される。
【００３８】
画像記憶部７１には、撮影を行い撮像部１６から取得し生成された撮影画像のデータが記憶される。
【００３９】
送信対象リスト記憶部７２には、画像記憶部７１に記憶される撮影画像のうち、送信対象となっている撮影画像の送信状況を管理するための送信対象リストが記憶される。送信対象リストには、本実施形態においては、画像の送信状況として、未送信の画像が対応するＩＤで記憶される。対象となる画像の送信が完了すると、送信対象リストからＩＤが削除されることで、画像の送信状況を管理する。即ち、送信対象リストには、送信対象のうち、未送信の画像のＩＤのみが記憶され、非送信対象と、送信対象のうち、送信済みの画像のＩＤは記憶されない。
【００４０】
方法判別部５１は、外部装置への画像の送信方法を判別する。具体的には、方法判別部５１は、外部装置への画像の送信が自動によるものか、或いは手動によるものかを判別する。
【００４１】
種類判別部５２は、外部装置へ送信する画像の種類を判別する。具体的には、種類判別部５２は、外部装置へ送信する画像が静止画像であるか、或いは動画像であるか判別する。
【００４２】
負荷判別部５３は、外部装置へ送信する画像の送信負荷を判別する。具体的には、負荷判別部５３は、自動送信の場合には、動画像の画像サイズが１００ＭＢｙｔｅより大きい場合は、外部装置へ送信する画像の送信に負荷があると判別し、手動送信の場合には、動画像の画像サイズが５００ＭＢｙｔｅより大きい場合は、外部装置へ送信する画像の送信に負荷があると判別する。
【００４３】
加工判別部５４は、外部装置へ送信する画像を加工する必要があるか否かを判別する。具体的には、加工判別部５４は、自動送信の場合には、静止画像が３ＭＢｙｔｅ（２０４８１５３６ｐｉｘｅｌ）より大きい場合は、外部装置へ送信する画像を加工する必要があると判別し、動画像がＨＤサイズ（１２８０×７２０ｐｉｘｅｌ）より大きい場合は、外部装置へ送信する画像を加工する必要があると判別する。
【００４４】
また、加工判別部５４は、加工を行う必要がないと判別した場合でも、例えば、手動送信であって、画像の選択数や総データ量が多い場合には、画像を加工する必要があると判別する。さらに、加工判別部５４は、加工を行う必要であると判別した場合でも、例えば、自動送信であって、画像内に特定の被写体（例えば、予め登録した顔）を含んでいたり、動画撮影中に撮影された静止画像であったり、特定の条件（例えば、特定のモード）下で撮影された画像であったり、送信数が少なかったりした場合には、画像を加工する必要がないと判別する。
【００４５】
加工部５５は、外部装置へ送信する画像を加工する。具体的には、加工部５５は、静止画像の画像サイズを３ＭＢｙｔｅ（２０４８１５３６ｐｉｘｅｌ）にリサイズしたり、動画像をＨＤサイズ（１２８０×７２０ｐｉｘｅｌ）にトランスコードしたりする。
【００４６】
通信制御部５６は、外部装置に画像を送信するように第１通信部２０−１を制御する。具体的には、通信制御部５６は、静止画像と、所定の容量以下の動画像の場合に、静止画像／動画像を送信するように第１通信部２０−１を制御する。
【００４７】
次に、動作を説明する。
上述の送信対象リストを使用した自動送信処理は公知の技術を使用して実現可能であるため、ここでは詳細な説明を省略する。
［画像送信処理］
図５は、図４の機能的構成を有する図２の画像処理装置１が実行する画像送信処理の流れを説明するフローチャートである。画像送信処理は、ユーザによる入力部１７−１への画像送信処理開始操作によって開始する。
【００４８】
自動送信による画像送信処理の対象として、３ＭＢｙｔｅより大きい静止画像が入力された場合（ステップＳ１１）、方法判別部５１が、外部装置への画像の送信が自動によると判別し（ステップＳ１２：［自動送信］）、種類判別部５２が、外部装置へ送信する画像が静止画像であると判別し（ステップＳ１３：［静止画像］）、加工判別部５４が、外部装置へ送信する画像を加工する必要があると判別すると、即ち画像サイズが３ＭＢｙｔｅ（２０４８１５３６ｐｉｘｅｌ）より大きいと判別すると（ステップＳ１４：［ＹＥＳ］）、加工部５５が、外部装置へ送信する画像を３ＭＢｙｔｅ（２０４８１５３６ｐｉｘｅｌ）にリサイズする加工を行い（ステップＳ１５）、通信制御部５６は、画像を送信するように第１通信部２０−１を制御して（ステップＳ１６）、処理を終了する。
【００４９】
自動送信による画像送信処理の対象として、３ＭＢｙｔｅ以下の静止画像が入力された場合（ステップＳ１１）、方法判別部５１が、外部装置への画像の送信が自動によると判別し（ステップＳ１２：［自動送信］）、種類判別部５２が、外部装置へ送信する画像が静止画像であると判別し（ステップＳ１３：［静止画像］）、加工判別部５４が、外部装置へ送信する画像を加工する必要がないと判別すると、即ち画像サイズが３ＭＢｙｔｅ以下であると判別すると（ステップＳ１４：［ＮＯ］）、加工部５５が、外部装置へ送信する画像の加工は行わずに、通信制御部５６は、画像を送信するように第１通信部２０−１を制御して（ステップＳ１６）、処理を終了する。
【００５０】
自動送信による画像送信処理の対象として、１００ＭＢｙｔｅ以下でＨＤサイズより大きい動画像が入力された場合（ステップＳ１１）、方法判別部５１が、外部装置への画像の送信が自動によると判別し（ステップＳ１２：［自動送信］）、種類判別部５２が、外部装置へ送信する画像が動画像であると判別し（ステップＳ１３：［動画像］）、負荷判別部５３が、外部装置へ送信する動画像の送信負荷が小さいと判別し、即ち、画像サイズが１００ＭＢｙｔｅ以下であると判別し（ステップＳ１７：［ＮＯ］）、加工判別部５４が、外部装置へ送信する画像を加工する必要があると判別すると、即ち画像サイズがＨＤサイズ（１２８０×７２０ｐｉｘｅｌ）より大きいと判別すると（ステップＳ１８：［ＹＥＳ］）、加工部５５が、外部装置へ送信する画像をＨＤサイズ（１２８０×７２０ｐｉｘｅｌ）にリサイズする加工を行い（ステップＳ１９）、通信制御部５６は、画像を送信するように第１通信部２０−１を制御して（ステップＳ１６）、処理を終了する。
【００５１】
自動送信による画像送信処理の対象として、１００ＭＢｙｔｅ以下でＨＤサイズ以下の動画像が入力された場合（ステップＳ１１）、方法判別部５１が、外部装置への画像の送信が自動によると判別し（ステップＳ１２：［自動送信］）、種類判別部５２が、外部装置へ送信する画像が動画像であると判別し（ステップＳ１３：［動画像］）、負荷判別部５３が、外部装置へ送信する動画像の送信負荷が小さいと判別し、即ち、画像サイズが１００ＭＢｙｔｅ以下であると判別し（ステップＳ１７：［ＮＯ］）、加工判別部５４が、外部装置へ送信する画像を加工する必要がないと判別すると、即ち画像サイズがＨＤサイズ（１２８０×７２０ｐｉｘｅｌ）以下であると判別すると（ステップＳ１８：［ＮＯ］）、加工部５５が、外部装置へ送信する画像の加工は行わずに、通信制御部５６は、画像を送信するように第１通信部２０−１を制御して（ステップＳ１６）、処理を終了する。
【００５２】
自動送信による画像送信処理の対象として、１００ＭＢｙｔｅより大きい動画像が入力された場合（ステップＳ１１）、方法判別部５１が、外部装置への画像の送信が自動によると判別し（ステップＳ１２：［自動送信］）、種類判別部５２が、外部装置へ送信する画像が動画像であると判別し（ステップＳ１３：［動画像］）、負荷判別部５３が、外部装置へ送信する動画像の送信負荷が大きいと判別すると、即ち、画像サイズが１００ＭＢｙｔｅより大きいと判別すると（ステップＳ１７：［ＹＥＳ］）、通信制御部５６は、画像の送信するように第１通信部２０−１を制御せずに処理を終了する。
【００５３】
手動送信による画像送信処理の対象として、静止画像が入力された場合（ステップＳ１１）、方法判別部５１が、外部装置への画像の送信が手動によると判別し（ステップＳ１２：［手動送信］）、種類判別部５２が、外部装置へ送信する画像が静止画像であると判別すると（ステップＳ２０：［静止画像］）、加工部５５が、外部装置へ送信する画像の加工は行わずに、通信制御部５６は、画像を送信するように第１通信部２０−１を制御して（ステップＳ１６）、処理を終了する。
【００５４】
手動送信による画像送信処理の対象として、５００ＭＢｙｔｅ以下の動画像が入力された場合（ステップＳ１１）、方法判別部５１が、外部装置への画像の送信が手動によると判別し（ステップＳ１２：［手動送信］）、種類判別部５２が、外部装置へ送信する画像が動画像であると判別し（ステップＳ２０：［動画像］）、負荷判別部５３が、外部装置へ送信する動画像の画像サイズが所定のサイズ以下であると判別すると、即ち、画像サイズが５００ＭＢｙｔｅ以下であると判別すると（ステップＳ２１：［ＮＯ］）、加工部５５が、外部装置へ送信する画像の加工は行わずに、通信制御部５６は、画像を送信するように第１通信部２０−１を制御して（ステップＳ１６）、処理を終了する。
【００５５】
手動送信による画像送信処理の対象として、５００ＭＢｙｔｅより大きい動画像が入力された場合（ステップＳ１１）、方法判別部５１が、外部装置への画像の送信が手動によると判別し（ステップＳ１２：［手動送信］）、種類判別部５２が、外部装置へ送信する画像が動画像であると判別し（ステップＳ２０：［動画像］）、負荷判別部５３が、外部装置へ送信する動画像の画像サイズが所定のサイズより大きいと判別すると、即ち、画像サイズが５００ＭＢｙｔｅより大きいと判別すると（ステップＳ２１：［ＹＥＳ］）、通信制御部５６は、画像の送信するように第１通信部２０−１を制御せずに処理を終了する。
【００５６】
なお、上述した実施形態では、加工判別部５４は、画像の加工の有無を画像サイズによって判別した後に、さらに、図３に示すような加工変更条件に合致した場合に、最終的な加工の有無を判別するようにしたり、まず、加工変更条件の合致を判断して、合致した場合には無条件に画像の加工の有無を判別するようしたりして構成することができる。
【００５７】
したがって、画像処理装置１では、自動送信と手動送信、それぞれに動画の送信を許可する上限容量を設け、上限を超えた動画は送信しない。また、自動送信と手動送信、静止画像と動画像、それぞれに送信を許可する上限画像サイズを設け、上限画像サイズを超えた画像は送信しない／リサイズして送信する。また、画像の特徴を解析して、条件に合致した場合には、優先して、送信の有無や加工の有無を変更する。
したがって、画像処理装置１では、画像サイズの大きい画像（静止画、動画）を送信しないため、送信先の外部装置のメモリを圧迫してしまう危惧が少ない。また、画像サイズの大きい画像（静止画、動画）を送信しないため、通信時間が長いことによる電池消耗の危惧が少ない。また、画像処理装置１では、オリジナルの画像（撮影画像）は、画像記憶部７１に記憶されているために、外部装置への送信を優先して画像を加工しても、オリジナルの画像が必要であれば送信を考慮しなくてよい状態になったときに事後的に外部装置に画像を取得させるようにすればよい。
【００５８】
以上のように構成される画像処理装置１は、画像を外部装置に送信する。
また、画像処理装置１は、通信制御部５６と、加工部５５と、加工判別部５４と、を備える。
通信制御部５６は、撮像手段により画像が撮影されたことを契機として、撮影された画像を自動で外部装置に送信するように第１通信部２０−１を制御する。
通信制御部５６は、ユーザが記録されている画像を選択することで、撮影された画像を手動で外部装置に送信するように第１通信部２０−１を制御する。
加工部５５は、画像を加工する。
加工判別部５４は、外部装置に画像を送信する際に、画像の送信が通信制御部５６により制御される第１通信部２０−１の自動送信であるか、或いは通信制御部５６により制御される第１通信部２０−１の手動送信であるかに基づき、加工部５５に送信する画像を加工させる制御を行う。
したがって、画像処理装置１においては、自動送信と手動送信の別で加工した画像を送信することができるために、外部装置に適切な画像を送信することができる。
【００５９】
加工判別部５４は、画像の送信が自動送信であるか、或いは手動送信であるかに応じた優先度に基づき、当該自動送信と当該手動送信とで異なる所定の閾値を設定して、当該所定の閾値を越えると判別される場合に、加工部５５に送信する画像を加工させる制御を行う。
したがって、画像処理装置１においては、画像の送信が自動送信であるか、或いは手動送信であるかに応じた優先度を設けることができ、自動送信と手動送信の別で外部装置に適切な画像を送信することができる。
【００６０】
加工判別部５４は、手動送信を自動送信よりも高い優先度として、当該手動送信の所定の閾値を当該自動送信の所定の閾値よりも高い値に設定する。
したがって、画像処理装置１においては、優先度を簡単な構成で設定することができる。
【００６１】
加工判別部５４は、所定の閾値を越えるか否かの判別を、送信する画像のサイズにより行う。
したがって、画像処理装置１においては、送信する画像のサイズにより優先度の別で、外部装置に適切な画像を送信することができる。
【００６２】
また、画像処理装置１は、種類判別部５２を、更に備える。
種類判別部５２は、送信する画像の種類を取得する。
加工判別部５４は、種類判別部５２により取得される画像の種類を更に加味して、加工部５５に送信する画像を加工させる制御を行う。
したがって、画像処理装置１においては、画像の種類の別で、外部装置に適切な画像を送信することができる。
【００６３】
また、画像処理装置１は、負荷判別部５３を、更に備える。
負荷判別部５３は、送信する画像のデータ量を取得する。
加工判別部５４は、負荷判別部５３により取得される送信する画像のデータ量を更に加味して、加工部５５に送信する画像を加工させる制御を行う。
したがって、画像処理装置１においては、送信する画像のデータ量を考慮して、外部装置に適切な画像を送信することができる。
【００６４】
負荷判別部５３は、外部装置へ送信する画像を送信することによる負荷を判別する。
通信制御部５６は、負荷判別部５３により負荷が大きいと判別される所定の閾値を設定して、当該所定の閾値を越えると判別される場合に、当該外部装置への画像の送信を制限するように第１通信部２０−１に対する制御を行う。
したがって、画像処理装置１においては、外部装置への送信にかかる負荷を考慮して、画像を送信の有無を制御することができる。
【００６５】
また、画像処理装置１は、撮像手段により撮影された画像を外部装置に送信する。
さらに、画像処理装置１は、加工判別部５４と、加工部５５と、加工判別部５４と、を備える。
加工部５５は、画像を加工する。
加工判別部５４は、外部装置に送信する画像の特徴を取得する。
加工判別部５４は、外部装置に画像を送信する際に、取得される画像の特徴に基づき、加工部５５に送信する画像を加工させる制御を行う。
したがって、画像処理装置１においては、画像の特徴に応じて、加工の有無を制御するために、外部装置に適切な画像を送信することができる。
【００６６】
加工判別部５４は、取得される画像の特徴に基づき、異なる所定の閾値を設定して、当該所定の閾値を越えると判別される場合に、加工部５５に送信する画像を加工させる制御を行う。
したがって、画像処理装置１においては、画像の特徴に応じて、外部装置に適切な画像を送信することができる。
【００６７】
加工判別部５４は、画像の特徴として、送信する画像に含まれる被写体の種類、又は送信する画像が撮影された状態の何れか一方、又は両方を取得する。
加工判別部５４は、加工判別部５４により取得される特徴として、送信する画像に含まれる被写体が特定の被写体である場合、又は送信する画像が撮影された状態である場合の何れか一方、又は両方である場合に、所定の閾値を高く設定する。
したがって、画像処理装置１においては、被写体の種類や撮影された状況に応じて、外部装置に適切な画像を送信することができる。
【００６８】
また、画像処理装置１は、方法判別部５１を、更に備える。
方法判別部５１は、撮像手段により撮影された画像を外部装置に送信する方法を取得する。
加工判別部５４は、方法判別部５１により取得される送信方法を更に加味して、異なる所定の閾値を設定する。
したがって、画像処理装置１においては、送信方法を更に加味して、外部装置に適切な画像を送信することができる。
【００６９】
方法判別部５１は、送信方法として、撮像手段により画像が撮影されたことを契機として、撮影された画像を自動で外部装置に送信する自動送信、又はユーザが記録されている画像を選択することで、撮影された画像を手動で外部装置に送信する手動送信のいずれであるかを取得する。
加工判別部５４は、方法判別部５１により取得される送信方法が手動送信である場合に、自動送信である場合よりも、所定の閾値を高く設定する。
したがって、画像処理装置１においては、自動送信や手動送信の送信方法の別で、外部装置に適切な画像を送信することができる。
【００７０】
加工部５５は、画像のサイズを縮小する加工を行う。
したがって、画像処理装置１においては、画像のサイズを縮小することで、外部装置に適切な画像を送信することができる。
【００７１】
なお、本発明は、上述の実施形態に限定されるものではなく、本発明の目的を達成できる範囲での変形、改良等は本発明に含まれるものである。
【００７２】
上述の実施形態では、画像の種類として、静止画像と動画像に加えて、グループ画像（連写画像）を追加することができる。
【００７３】
また、上述の実施形態では、自動送信の場合、ユーザの意思と関係なく送信が行われるため、積極的に画像を加工するように構成したがこれに限られない。ユーザの意思が反映されるような画像に対しては加工を行わないように構成することができ、例えば、画像内から認識される顔に、特定の顔（例えば、登録されていた顔）が含まれる等の画像内に特定の被写体を含む場合、動画像撮影中に撮影した静止画像の場合は、画像を加工しないように構成することができる。また、自動送信数が少ない場合にも画像を加工しないように構成することができる。
【００７４】
また、上述の実施形態では、手動送信の場合、ユーザが意識的に画像を選択等して送信を行うために、積極的に画像を加工しないように構成したがこれに限られない。例えば、画像の選択数（又は、選択した画像の総データ量）が多い場合、画像の画質よりも選択した画像が閲覧できることを優先して、画像を加工するように構成することができる。
【００７５】
また、上述した実施形態では、画像をリサイズするように加工したが、画像のデータ量を減らせればよく、画像の圧縮率を高くしたり、縮小したりして画像を加工するように構成してもよい。
【００７６】
また、上述の実施形態では、本発明が適用される画像処理装置１は、デジタルカメラを例として説明したが、特にこれに限定されない。
例えば、本発明は、画像送信処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００７７】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が画像処理装置１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００７８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７９】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【００８０】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００８１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００８２】
以下に、本願の出願当初の特許請求の範囲に記載された発明を付記する。
［付記１］
画像を外部装置に送信する画像処理装置であって、
撮像手段により画像が撮影されたことを契機として、撮影された画像を自動で外部装置に送信する第１の送信手段と、
ユーザが記録されている画像を選択することで、撮影された画像を手動で外部装置に送信する第２の送信手段と、
画像を加工する加工手段と、
前記外部装置に画像を送信する際に、画像の送信が前記第１の送信手段による自動送信であるか、或いは前記第２の送信手段による手動送信であるかに基づき、前記加工手段に送信する画像を加工させる制御を行う制御手段と、
を備えることを特徴とする画像処理装置。
［付記２］
前記制御手段は、前記画像の送信が前記自動送信であるか、或いは前記手動送信であるかに応じた優先度に基づき、当該自動送信と当該手動送信とで異なる所定の閾値を設定して、当該所定の閾値を越えると判別される場合に、前記加工手段に送信する画像を加工させる制御を行う、
ことを特徴とする付記１に記載の画像処理装置。
［付記３］
前記制御手段は、前記手動送信を前記自動送信よりも高い優先度として、当該手動送信の所定の閾値を当該自動送信の所定の閾値よりも高い値に設定する、
ことを特徴とする付記２に記載の画像処理装置。
［付記４］
前記制御手段は、前記所定の閾値を越えるか否かの判別を、送信する画像のサイズにより行う、
ことを特徴とする付記２又は３に記載の画像処理装置。
［付記５］
送信する画像の種類を取得する種類取得手段を、更に備え、
前記制御手段は、前記種類取得手段により取得される画像の種類を更に加味して、前記加工手段に送信する画像を加工させる制御を行う、
ことを特徴とする付記２乃至４の何れか１つに記載の画像処理装置。
［付記６］
送信する画像のデータ量を取得する送信量取得手段を、更に備え、
前記制御手段は、前記送信量取得手段により取得される送信する画像のデータ量を更に加味して、前記加工手段に送信する画像を加工させる制御を行う、
ことを特徴とする付記２乃至５の何れか１つに記載の画像処理装置。
［付記７］
前記外部装置へ送信する画像を送信することによる負荷を判別する負荷判別手段を、更に備え、
前記制御手段は、前記負荷判別手段により負荷が大きいと判別される前記所定の閾値を設定して、当該所定の閾値を越えると判別される場合に、当該外部装置への画像の送信を制限する制御を行う、
ことを特徴とする付記２乃至６の何れか１つに記載の画像処理装置。
［付記８］
撮像手段により撮影された画像を外部装置に送信する画像処理装置であって、
前記外部装置に送信する画像の特徴を取得する特徴取得手段と、
画像を加工する加工手段と、
前記外部装置に画像を送信する際に、前記特徴取得手段により取得される画像の特徴に基づき、前記加工手段に送信する画像を加工させる制御を行う制御手段と、
を備えることを特徴とする画像処理装置。
［付記９］
前記制御手段は、前記特徴取得手段により取得される画像の特徴に基づき、異なる所定の閾値を設定して、当該所定の閾値を越えると判別される場合に、前記加工手段に送信する画像を加工させる制御を行う、
ことを特徴とする付記８に記載の画像処理装置。
［付記１０］
前記特徴取得手段は、画像の特徴として、送信する画像に含まれる被写体の種類、又は送信する画像が撮影された状態の何れか一方、又は両方を取得し、
前記制御手段は、前記特徴取得手段により取得される特徴として、送信する画像に含まれる被写体が特定の被写体である場合、又は送信する画像が撮影された状態である場合の何れか一方、又は両方である場合に、前記所定の閾値を高く設定する、
ことを特徴とする付記９に記載の画像処理装置。
［付記１１］
前記撮像手段により撮影された画像を前記外部装置に送信する方法を取得する方法取得手段を、更に備え、
前記制御手段は、前記方法取得手段により取得される送信方法を更に加味して、前記異なる所定の閾値を設定する、
ことを特徴とする付記９又は１０に記載の画像処理装置。
［付記１２］
前記方法取得手段は、送信方法として、前記撮像手段により画像が撮影されたことを契機として、撮影された画像を自動で前記外部装置に送信する自動送信、又はユーザが記録されている画像を選択することで、撮影された画像を手動で前記外部装置に送信する手動送信のいずれであるかを取得し、
前記制御手段は、前記方法取得手段により取得される送信方法が手動送信である場合に、自動送信である場合よりも、前記所定の閾値を高く設定する、
ことを特徴とする付記１１に記載の画像処理装置。
［付記１３］
前記加工手段は、画像のサイズを縮小する加工を行う、
ことを特徴とする付記１乃至７、又は付記８乃至１２の何れか１つに記載の画像処理装置。
［付記１４］
撮像手段により撮影された画像を外部装置に送信する画像処理装置で実行される画像処理方法あって、
前記撮像手段により画像が撮影されたことを契機として、撮影された画像を自動で外部装置に送信する第１の送信処理と、
ユーザが記録されている画像を選択することで、撮影された画像を手動で外部装置に送信する第２の送信処理と、
画像を加工する加工処理と、
前記外部装置に画像を送信する際に、画像の送信が前記第１の送信処理による自動送信であるか、或いは前記第２の送信処理による手動送信であるかに基づき、前記加工処理に送信する画像を加工させる制御を行う制御処理と、
を含むことを特徴とする画像処理方法。
［付記１５］
撮像手段により撮影された画像を外部装置に送信する画像処理装置で実行される画像処理方法であって、
前記外部装置に送信する画像の特徴を取得する特徴取得処理と、
画像を加工する加工処理と、
前記外部装置に画像を送信する際に、前記特徴取得処理により取得される画像の特徴に基づき、前記加工処理に送信する画像を加工させる制御を行う制御処理と、
を含むことを特徴とする画像処理方法。
［付記１６］
撮像手段により撮影された画像を外部装置に送信する画像処理装置を制御するコンピュータに、
前記撮像手段により画像が撮影されたことを契機として、撮影された画像を自動で外部装置に送信する第１の送信機能と、
ユーザが記録されている画像を選択することで、撮影された画像を手動で外部装置に送信する第２の送信機能と、
画像を加工する加工機能と、
前記外部装置に画像を送信する際に、画像の送信が前記第１の送信機能による自動送信であるか、或いは前記第２の送信機能による手動送信であるかに基づき、前記加工機能に送信する画像を加工させる制御を行う制御機能と、
を実現させることを特徴とするプログラム。
［付記１７］
撮像手段により撮影された画像を外部装置に送信する画像処理装置を制御するコンピュータに、
前記外部装置に送信する画像の特徴を取得する特徴取得機能と、
画像を加工する加工機能と、
前記外部装置に画像を送信する際に、前記特徴取得機能により取得される画像の特徴に基づき、前記加工機能に送信する画像を加工させる制御を行う制御機能と、
を実現させることを特徴とするプログラム。
【符号の説明】
【００８３】
１・・・画像処理装置，２・・・携帯端末装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・第１通信部，２１・・・第２通信部，２２・・・ドライブ，２３・・・電源部，３１・・・リムーバブルメディア，５１・・・方法判別部，５２・・・種類判別部，５３・・・負荷判別部，５４・・・加工判別部，５５・・・加工部，５６・・・通信制御部，７２・・・送信対象リスト記憶部，Ｓ・・・画像送信システム
【図１】
2016178620.tif 000003
【図２】
2016178620.tif 000004
【図３】
2016178620.tif 000005
【図４】
2016178620.tif 000006
【図５】
2016178620.tif 000007
【手続補正書】
【提出日】平成28年3月3日(2016.3.3)
【手続補正１】
【補正対象書類名】明細書
【補正対象項目名】０００６
【補正方法】変更
【補正の内容】
【０００６】
上記目的を達成するため、本発明の一態様の画像処理装置は、
画像を外部装置に送信する画像処理装置であって、
撮像手段により画像が撮影されたことを契機として、通信手段に、撮影された画像を自動で外部装置に送信させる制御を行う第１の通信制御手段と、
ユーザが記録されている画像を選択することで、通信手段に、撮影された画像を手動で外部装置に送信させる制御を行う第２の通信制御手段と、
画像を加工する加工手段と、
前記外部装置に画像を送信する際に、画像の送信が前記第１の通信制御手段の制御による自動送信であるか、或いは前記第２の通信制御手段の制御による手動送信であるかに基づき、前記加工手段に送信する画像を加工させる制御を行う加工制御手段と、
を備えることを特徴とする。
【手続補正２】
【補正対象書類名】明細書
【補正対象項目名】００３８
【補正方法】変更
【補正の内容】
【００３８】
画像記憶部７１には、撮影を行い撮像部１６−１から取得し生成された撮影画像のデータが記憶される。
【手続補正３】
【補正対象書類名】特許請求の範囲
【補正対象項目名】全文
【補正方法】変更
【補正の内容】
【特許請求の範囲】
【請求項１】
画像を外部装置に送信する画像処理装置であって、
撮像手段により画像が撮影されたことを契機として、通信手段に、撮影された画像を自動で外部装置に送信させる制御を行う第１の通信制御手段と、
ユーザが記録されている画像を選択することで、通信手段に、撮影された画像を手動で外部装置に送信させる制御を行う第２の通信制御手段と、
画像を加工する加工手段と、
前記外部装置に画像を送信する際に、画像の送信が前記第１の通信制御手段の制御による自動送信であるか、或いは前記第２の通信制御手段の制御による手動送信であるかに基づき、前記加工手段に送信する画像を加工させる制御を行う加工制御手段と、
を備えることを特徴とする画像処理装置。
【請求項２】
前記加工制御手段は、前記画像の送信が前記自動送信であるか、或いは前記手動送信であるかに応じた優先度に基づき、当該自動送信と当該手動送信とで異なる所定の閾値を設定して、当該所定の閾値を越えると判別される場合に、前記加工手段に送信する画像を加工させる制御を行う、
ことを特徴とする請求項１に記載の画像処理装置。
【請求項３】
前記加工制御手段は、前記手動送信を前記自動送信よりも高い優先度として、当該手動送信の所定の閾値を当該自動送信の所定の閾値よりも高い値に設定する、
ことを特徴とする請求項２に記載の画像処理装置。
【請求項４】
前記加工制御手段は、前記所定の閾値を越えるか否かの判別を、送信する画像のサイズにより行う、
ことを特徴とする請求項２又は３に記載の画像処理装置。
【請求項５】
送信する画像の種類を取得する種類取得手段を、更に備え、
前記加工制御手段は、前記種類取得手段により取得される画像の種類を更に加味して、前記加工手段に送信する画像を加工させる制御を行う、
ことを特徴とする請求項２乃至４の何れか１項に記載の画像処理装置。
【請求項６】
送信する画像のデータ量を取得する送信量取得手段を、更に備え、
前記加工制御手段は、前記送信量取得手段により取得される送信する画像のデータ量を更に加味して、前記加工手段に送信する画像を加工させる制御を行う、
ことを特徴とする請求項２乃至５の何れか１項に記載の画像処理装置。
【請求項７】
前記外部装置へ送信する画像を送信することによる負荷を判別する負荷判別手段を、更に備え、
前記加工制御手段は、前記負荷判別手段により負荷が大きいと判別される前記所定の閾値を設定して、当該所定の閾値を越えると判別される場合に、当該外部装置への画像の送信を制限する制御を行う、
ことを特徴とする請求項２乃至６の何れか１項に記載の画像処理装置。
【請求項８】
撮像手段により撮影された画像を外部装置に送信する画像処理装置であって、
前記外部装置に送信する画像の特徴を取得する特徴取得手段と、
画像を加工する加工手段と、
前記外部装置に画像を送信する際に、前記特徴取得手段により取得される画像の特徴に基づき、前記加工手段に送信する画像を加工させる制御を行う加工制御手段と、
を備えることを特徴とする画像処理装置。
【請求項９】
前記加工制御手段は、前記特徴取得手段により取得される画像の特徴に基づき、異なる所定の閾値を設定して、当該所定の閾値を越えると判別される場合に、前記加工手段に送信する画像を加工させる制御を行う、
ことを特徴とする請求項８に記載の画像処理装置。
【請求項１０】
前記特徴取得手段は、画像の特徴として、送信する画像に含まれる被写体の種類、又は送信する画像が撮影された状態の何れか一方、又は両方を取得し、
前記加工制御手段は、前記特徴取得手段により取得される特徴として、送信する画像に含まれる被写体が特定の被写体である場合、又は送信する画像が撮影された状態である場合の何れか一方、又は両方である場合に、前記所定の閾値を高く設定する、
ことを特徴とする請求項９に記載の画像処理装置。
【請求項１１】
前記撮像手段により撮影された画像を前記外部装置に送信する方法を取得する方法取得手段を、更に備え、
前記加工制御手段は、前記方法取得手段により取得される送信方法を更に加味して、前記異なる所定の閾値を設定する、
ことを特徴とする請求項９又は１０に記載の画像処理装置。
【請求項１２】
前記方法取得手段は、送信方法として、前記撮像手段により画像が撮影されたことを契機として、撮影された画像を自動で前記外部装置に送信する自動送信、又はユーザが記録されている画像を選択することで、撮影された画像を手動で前記外部装置に送信する手動送信のいずれであるかを取得し、
前記加工制御手段は、前記方法取得手段により取得される送信方法が手動送信である場合に、自動送信である場合よりも、前記所定の閾値を高く設定する、
ことを特徴とする請求項１１に記載の画像処理装置。
【請求項１３】
前記加工手段は、画像のサイズを縮小する加工を行う、
ことを特徴とする請求項１乃至７、又は請求項８乃至１２の何れか１項に記載の画像処理装置。
【請求項１４】
撮像手段により撮影された画像を外部装置に送信する画像処理装置で実行される画像処理方法あって、
前記撮像手段により画像が撮影されたことを契機として、通信手段に、撮影された画像を自動で外部装置に送信させる制御を行う第１の通信制御処理と、
ユーザが記録されている画像を選択することで、通信手段に、撮影された画像を手動で外部装置に送信させる制御を行う第２の通信制御処理と、
画像を加工する加工処理と、
前記外部装置に画像を送信する際に、画像の送信が前記第１の通信制御処理の制御による自動送信であるか、或いは前記第２の通信制御処理の制御による手動送信であるかに基づき、前記加工処理に送信する画像を加工させる制御を行う加工制御処理と、
を含むことを特徴とする画像処理方法。
【請求項１５】
撮像手段により撮影された画像を外部装置に送信する画像処理装置で実行される画像処理方法であって、
前記外部装置に送信する画像の特徴を取得する特徴取得処理と、
画像を加工する加工処理と、
前記外部装置に画像を送信する際に、前記特徴取得処理により取得される画像の特徴に基づき、前記加工処理に送信する画像を加工させる制御を行う加工制御処理と、
を含むことを特徴とする画像処理方法。
【請求項１６】
撮像手段により撮影された画像を外部装置に送信する画像処理装置を制御するコンピュータに、
前記撮像手段により画像が撮影されたことを契機として、通信手段に、撮影された画像を自動で外部装置に送信させる制御を行う第１の通信制御機能と、
ユーザが記録されている画像を選択することで、通信手段に、撮影された画像を手動で外部装置に送信させる制御を行う第２の通信制御機能と、
画像を加工する加工機能と、
前記外部装置に画像を送信する際に、画像の送信が前記第１の通信制御機能の制御による自動送信であるか、或いは前記第２の通信制御機能の制御による手動送信であるかに基づき、前記加工機能に送信する画像を加工させる制御を行う加工制御機能と、
を実現させることを特徴とするプログラム。
【請求項１７】
撮像手段により撮影された画像を外部装置に送信する画像処理装置を制御するコンピュータに、
前記外部装置に送信する画像の特徴を取得する特徴取得機能と、
画像を加工する加工機能と、
前記外部装置に画像を送信する際に、前記特徴取得機能により取得される画像の特徴に基づき、前記加工機能に送信する画像を加工させる制御を行う加工制御機能と、
を実現させることを特徴とするプログラム。
【手続補正書】
【提出日】平成28年7月15日(2016.7.15)
【手続補正１】
【補正対象書類名】明細書
【補正対象項目名】０００６
【補正方法】変更
【補正の内容】
【０００６】
上記目的を達成するため、本発明の一態様の画像処理装置は、
画像を外部装置に送信する画像処理装置であって、
撮像手段により画像が撮影されたことを契機として、通信手段に、撮影された画像を自動で外部装置に送信させる制御を行う第１の通信制御手段と、
ユーザが記録されている画像を選択することで、通信手段に、撮影された画像を手動で外部装置に送信させる制御を行う第２の通信制御手段と、
画像を加工する加工手段と、
前記外部装置に画像を送信する際に、画像の送信が前記第１の通信制御手段の制御による自動送信である場合に、前記加工手段に送信する画像を加工させる制御を行う一方、前記第２の通信制御手段の制御による手動送信である場合に、前記加工手段に送信する画像を加工させる制御を行わせない加工制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
画像を外部装置に送信する画像処理装置であって、
撮像手段により画像が撮影されたことを契機として、通信手段に、撮影された画像を自動で外部装置に送信させる制御を行う第１の通信制御手段と、
ユーザが記録されている画像を選択することで、通信手段に、撮影された画像を手動で外部装置に送信させる制御を行う第２の通信制御手段と、
画像を加工する加工手段と、
前記外部装置に画像を送信する際に、画像の送信が前記第１の通信制御手段の制御による自動送信である場合に、前記加工手段に送信する画像を加工させる制御を行う一方、前記第２の通信制御手段の制御による手動送信である場合に、前記加工手段に送信する画像を加工させる制御を行わせない加工制御手段と、
を備えることを特徴とする画像処理装置。
【請求項２】
前記加工制御手段は、所定の閾値を越えると判別される場合に、前記加工手段に送信する画像を加工させる制御を行う、
ことを特徴とする請求項１に記載の画像処理装置。
【請求項３】
前記加工制御手段は、前記所定の閾値を越えるか否かの判別を、送信する画像のサイズにより行う、
ことを特徴とする請求項２に記載の画像処理装置。
【請求項４】
送信する画像の種類を取得する種類取得手段を、更に備え、
前記加工制御手段は、前記種類取得手段により取得される画像の種類を更に加味して、前記加工手段に送信する画像を加工させる制御を行う、
ことを特徴とする請求項２又は３に記載の画像処理装置。
【請求項５】
送信する画像のデータ量を取得する送信量取得手段を、更に備え、
前記加工制御手段は、前記送信量取得手段により取得される送信する画像のデータ量を更に加味して、前記加工手段に送信する画像を加工させる制御を行う、
ことを特徴とする請求項２乃至４の何れか１項に記載の画像処理装置。
【請求項６】
前記外部装置へ送信する画像を送信することによる負荷を判別する負荷判別手段を、更に備え、
前記加工制御手段は、前記負荷判別手段により負荷が大きいと判別される前記所定の閾値を設定して、当該所定の閾値を越えると判別される場合に、当該外部装置への画像の送信を制限する制御を行う、
ことを特徴とする請求項２乃至５の何れか１項に記載の画像処理装置。
【請求項７】
前記加工制御手段は、前記画像の送信が前記手動送信であっても、所定の条件を満たす場合には前記加工手段に送信する画像を加工させる制御を行う、
ことを特徴とする請求項１乃至６の何れか１項に記載の画像処理装置。
【請求項８】
前記加工制御手段は、前記所定の条件を満たすか否かの判別を、送信する画像の数又は画像のデータ量により行う、
ことを特徴とする請求項７に記載の画像処理装置。
【請求項９】
前記加工手段は、画像のサイズを縮小する加工を行う、
ことを特徴とする請求項１乃至８の何れか１項に記載の画像処理装置。
【請求項１０】
撮像手段により撮影された画像を外部装置に送信する画像処理装置で実行される画像処理方法あって、
前記撮像手段により画像が撮影されたことを契機として、通信手段に、撮影された画像を自動で外部装置に送信させる制御を行う第１の通信制御処理と、
ユーザが記録されている画像を選択することで、通信手段に、撮影された画像を手動で外部装置に送信させる制御を行う第２の通信制御処理と、
画像を加工する加工処理と、
前記外部装置に画像を送信する際に、画像の送信が前記第１の通信制御処理の制御による自動送信である場合に、前記加工処理に送信する画像を加工させる制御を行う一方、前記第２の通信制御処理の制御による手動送信である場合に、前記加工処理に送信する画像を加工させる制御を行わせない加工制御処理と、
を含むことを特徴とする画像処理方法。
【請求項１１】
撮像手段により撮影された画像を外部装置に送信する画像処理装置を制御するコンピュータに、
前記撮像手段により画像が撮影されたことを契機として、通信手段に、撮影された画像を自動で外部装置に送信させる制御を行う第１の通信制御機能と、
ユーザが記録されている画像を選択することで、通信手段に、撮影された画像を手動で外部装置に送信させる制御を行う第２の通信制御機能と、
画像を加工する加工機能と、
前記外部装置に画像を送信する際に、画像の送信が前記第１の通信制御機能の制御による自動送信である場合に、前記加工機能に送信する画像を加工させる制御を行う一方、前記第２の通信制御機能の制御による手動送信であるかに基づき、前記加工機能に送信する画像を加工させる制御を行わせない加工制御機能と、
を実現させることを特徴とするプログラム。